(57)【要約】      （修正有）【課題】省電力モードから復帰するとき、実行しようとするジョブに用いる機能ユニットのみへの電力供給再開をわかりやすく、直感的に行えるようにすることのできる画像形成装置を提供する。【解決手段】画像形成装置は、機能キーを複数の含む操作パネル、省電力モードでは電力供給が停止される複数の機能ユニット、機能キーで選ばれたジョブに必要な機能ユニットを動作させる主制御部、各機能ユニットへの電力供給を行う電源装置、省電力モードへの移行のとき、電源装置から機能ユニットへの電力供給を停止する省電力制御部、省電力モード中、規定時間内に規定回数、同じ機能キーを操作する復帰指定操作が行われたとき、復帰指定操作で操作された機能キーに対応するジョブを実行するのに必要な機能ユニットへの電力供給を省電力制御部に再開させる復帰制御部を含む。【選択図】図７
2016221708.tif 000002
【特許請求の範囲】
【請求項１】
実行するジョブの種類を選ぶための複数の機能キーを含む操作パネルと、
ジョブの実行時に動作して選ばれたジョブを完了させるユニットであって、省電力モードでは電力供給が停止され、複数種、画像形成装置内に設けられる機能ユニットと、
前記機能ユニットのうち、前記機能キーで選ばれたジョブの実行に必要な前記機能ユニットを動作させる主制御部と、
それぞれの前記機能ユニットへの電力供給を行う電源装置と、
前記機能ユニットへの電力供給が行われている状態で予め定められた前記省電力モードへの移行条件が満たされたとき、前記電源装置から前記機能ユニットへの電力供給を停止する省電力制御部と、
前記操作パネルの出力に基づき、前記省電力モード中、予め定められた規定時間内に、予め定められた規定回数、同じ前記機能キーを操作する復帰指定操作が行われたとき、前記復帰指定操作で操作された前記機能キーに対応するジョブを実行するのに必要な前記機能ユニットへの電力供給を前記省電力制御部に再開させる復帰制御部と、を含むことを特徴とする画像形成装置。
【請求項２】
前記復帰制御部は、前記規定時間内に、前記規定回数連続して、同じ前記機能キーに対する操作が行われたとき、前記復帰指定操作が行われたと認識し、前記規定時間内での同じ前記機能キーに対する操作回数が前記規定回数未満であるとき、及び、前記規定時間内に同じ前記機能キーに対する操作が前記規定回数行われたが連続していないとき、前記復帰指定操作が行われたとは認識せず、前記省電力モードを維持することを特徴とする請求項１に記載の画像形成装置。
【請求項３】
前記省電力制御部は、前記省電力モードへの移行にあわせて前記復帰制御部への電力供給を停止し、前記復帰制御部への電力供給が停止されている状態で何れかの前記機能キーが操作されたとき、前記復帰制御部への電力供給を再開して前記復帰制御部を復帰させ、
前記復帰制御部は、電力供給再開により起動してから前記規定時間内に、前記規定回数連続して同じ前記機能キーに対する操作が行われたか否かを確認し、
前記省電力制御部は、前記復帰制御部の復帰から前記復帰指定操作が行われることなく予め定められた有効時間が経過したとき前記復帰制御部への電力供給を停止することを特徴とする請求項１又は２に記載の画像形成装置。
【請求項４】
電力供給を停止させると予め定められた前記機能ユニットとして、原稿を読み取って画像データを生成するための読取ユニットと、画像データに基づき印刷を行う印刷ユニットと、ファクシミリ送信ユニットを少なくとも含み、
前記機能キーとして、スキャンキーと、コピーキーと、ファクシミリ送信キーを少なくとも含み、
前記省電力制御部は、省電力モードでは、前記読取ユニット、前記印刷ユニット、前記ファクシミリ送信ユニットへの電力供給を停止し、
前記スキャンキーに対して前記復帰指定操作が行われたとき、前記省電力制御部は前記読取ユニットへの電力供給を再開するともに前記印刷ユニット、前記ファクシミリ送信ユニットへの電力供給を再開せず、
前記コピーキーに対して前記復帰指定操作が行われたとき、前記省電力制御部は、前記読取ユニット、前記印刷ユニットへの電力供給を再開するともに前記ファクシミリ送信ユニットへの電力供給を再開せず、
前記ファクシミリ送信キーに対して前記復帰指定操作が行われたとき、前記省電力制御部は、前記読取ユニットと前記ファクシミリ送信ユニットへの電力供給を再開するともに前記印刷ユニットへの電力供給を再開しないことを特徴とする請求項１乃至３の何れか１項に記載の画像形成装置。
【発明の詳細な説明】
【技術分野】
【０００１】
本発明は、複写機、複合機、プリンタ、ファクシミリ機のような省電力モードを有する画像形成装置に関する。
【背景技術】
【０００２】
ジョブを実行できる状態で画像形成装置を維持する待機モード（通常モード）では、一定の電力が消費される。例えば、待機モードでは、ジョブを実行していなくても、定着装置の温度維持のためにヒーターへの通電が行われる。そこで、近年では、省エネ（省電力）のため、画像形成装置には、省電力モード（「スリープモード」と称することもある。）が搭載される。省電力モードでは、予め定められた部分への電力供給を停止する。このような省電力モードを搭載した画像形成装置の一例が特許文献１に記載されている。
【０００３】
具体的に、特許文献１には、省電力モードから通常電力モードまたは他の省電力モードに復帰させるための操作ボタンと、通常電力モードと省電力モードを含む複数の電力モードを備え、操作ボタンが押下されている時間を計測し、計測された時間の長さに応じて移行する電力モードを選定し、選定された電力モードに基づいて情報処理装置の各部への通
電状態を変更する情報処理装置が記載されている。具体的には、計測された時間が閾値を超えた場合には通常電力モードが選定され、計測された時間が閾値を超えなかった場合にはユーザーにより予め設定された省電力モードを選定される。この構成により、より少ないユーザー操作でユーザーにより設定された電力状態へ復帰できるようにしようとする（特許文献１：請求項１、請求項２、段落［０００７］等参照）。
【先行技術文献】
【特許文献】
【０００４】
【特許文献１】特開２０１５−０１１６５２号公報
【発明の概要】
【発明が解決しようとする課題】
【０００５】
ジョブを実行できる状態に画像形成装置を復帰させるとき、省電力モードは解除され、電力供給が停止されていた部分への電力供給が再開される。画像形成装置の消費電力を下げるため、省電力モード解除のとき、これから実行しようとするジョブに必要な部分に対してのみ電力供給を再開し、不要な部分への電力供給を再開しないようにすることが考えられる。
【０００６】
ここで、特許文献１には、スリープ復帰ボタン３３の押下時間Ｔｉが閾値Ｔｌｍを超えているとき、通常電力モードで復帰し、閾値Ｔｌｍを超えていないとき、予めユーザーに設定されたユーザー設定電力モードで復帰する例が記載されている（特許文献１：段落［００６５］〜［００７２］）。
【０００７】
しかし、スリープ復帰ボタン３３の押下時間Ｔｉが閾値Ｔｌｍを超えているときと超えていないときそれぞれどのモードに移行するか、ユーザー設定電力モードで復帰するとき、どの部分で電力供給が再開されるかは、設定を行ったユーザーしかわからないという問題がある。画像形成装置は、通常複数人で共用されるが、画像形成装置がどのような設定状態なのかを細かく覚えているユーザーは実際少ない。また、特許文献１に記載の装置では、それぞれのユーザーが、押下時間Ｔｉが閾値Ｔｌｍを超えているときに移行するモードと、超えていないときに移行するモードを自由に定めることができる。そのため、頻繁に設定が変更されることが考えられ、スリープ復帰ボタン３３の押下時間Ｔｉの長短に応じてどのモードに移行（遷移）するかわかりづらいという問題がある。
【０００８】
本発明は、上記問題点を鑑み、省電力モードから復帰するとき、実行しようとするジョブに用いる機能ユニットのみへの電力供給再開をわかりやすく、直感的に行えるようにする。
【課題を解決するための手段】
【０００９】
上記目的を達成するために請求項１に係る画像形成装置は、操作パネル、機能ユニット、主制御部、電源装置、省電力制御部、復帰制御部を含む。前記操作パネルは、実行するジョブの種類を選ぶための機能キーを複数含む。前記機能ユニットは、ジョブの実行時に動作して選ばれたジョブを完了させるユニットであって、省電力モードでは電力供給が停止され、複数種、画像形成装置内に設けられる。前記主制御部は、前記機能ユニットのうち、前記機能キーで選ばれたジョブの実行に必要な前記機能ユニットを動作させる。前記電源装置は、それぞれの前記機能ユニットへの電力供給を行う。前記省電力制御部は、前記機能ユニットへの電力供給が行われている状態で予め定められた前記省電力モードへの移行条件が満たされたとき、前記電源装置から前記機能ユニットへの電力供給を停止する。前記復帰制御部は、前記操作パネルの出力に基づき、前記省電力モード中、予め定められた規定時間内に、予め定められた規定回数、同じ前記機能キーを操作する復帰指定操作が行われたとき、前記復帰指定操作で操作された前記機能キーに対応するジョブを実行するのに必要な前記機能ユニットへの電力供給を前記省電力制御部に再開させる。
【発明の効果】
【００１０】
本発明によれば、行いたいジョブの種類に対応する機能キーを連続して押すだけで、機能ユニットのうち、機能キーにより選ばれたジョブに用いない機能ユニットに電力供給しないようにして省電力モードを解除することができる。従って、省電力モードの解除（機能ユニットのうち、ジョブに用いる機能ユニットのみへの電力供給の再開）をわかりやすく、直感的に行うことができる。
【図面の簡単な説明】
【００１１】
【図１】実施形態に係る複合機の一例を示す図である。
【図２】実施形態に係る操作パネルの一例を示す図である。
【図３】実施形態に係る複合機での電力供給系統を説明するための図である。
【図４】実施形態に係る複合機での省電力モードへの移行条件が満たされたか否かの判定を説明するための図である。
【図５】実施形態に係る複合機での待機モードから省電力モードへの移行の流れの一例を示すフローチャートである。
【図６】実施形態に係る機能キーの操作による省電力モードの解除に関する部分の一例を示す図である。
【図７】実施形態に係る機能キーの操作による省電力モードの解除の流れの一例を示すフローチャートである。
【図８】実施形態に係る複合機での待機モードへの復帰を説明するための図である。
【発明を実施するための形態】
【００１２】
以下、本発明の実施形態を図１〜図８を用いて説明する。尚、本実施形態では、複合機１００（画像形成装置に相当）を例に挙げ説明する。但し、本実施の形態に記載される構成、配置等の各要素は発明の範囲を限定するものではなく単なる説明例にすぎない。
【００１３】
（複合機１００の概略）
図１、図２に基づき、実施形態に係る複合機１００を説明する。図１は実施形態に係る複合機１００の一例を示す図である。図２は、実施形態に係る操作パネル３の一例を示す図である。
【００１４】
複合機１００は、主制御部１と記憶部２を含む（図１参照）。主制御部１は、ＣＰＵ１ａ、ＡＳＩＣ（画像処理部）１ｂのような回路を含み、複合機１００の動作を制御する。記憶部２は、ＲＯＭ、ＨＤＤのような不揮発性の記憶装置と、ＲＡＭのような揮発性の記憶装置を組み合わせである。記憶部２は、制御用の各種のプログラムやデータ、設定データ、画像データのような各種データを記憶する。ＣＰＵ１ａは、記憶部２に記憶されるプログラム、データに基づき複合機１００の各部の制御や、各種の演算処理を行う。ＡＳＩＣ１ｂは、印刷や送信に用いる画像データへの画像処理のような処理や演算を行う。また、制御部は、操作パネル３に含まれる表示パネル３１の表示制御を行う。また、制御部は、操作パネル３になされた操作の内容を認識する。
【００１５】
図１に示すように、本実施形態の複合機１００は、操作パネル３を含む。操作パネル３は、複合機１００の正面上方に設けられる。操作パネル３は、複合機１００に関する情報（状態、各種メッセージ、各種設定画面）を表示する表示パネル３１を含む。主制御部１は、表示パネル３１の表示を制御する。また、表示パネル３１の上面にタッチパネル部３２が設けられる。タッチパネル部３２は、使用者のタッチ位置を検知するためのものであり、検知位置に応じた電圧（信号）を出力する。主制御部１は、タッチパネル部３２の出力に基づき、表示パネル３１（タッチパネル部３２）のうち、押された位置、座標を認識し、操作された画像（ソフトキー、ボタン、タブ、チェックボックスのような画像）を認識する。
【００１６】
また、操作パネル３には、実行するジョブの種類を選択するための複数の機能キー３０（図２参照）、ジョブの実行開始を指示するためのスタートキー３３、数字を入力するためのテンキー３４、省電力モードへの移行を指示するための節電キー３５のような複数のハードキーも設けられる。また、主制御部１は、使用者の操作パネル３への操作に応じて表示パネル３１の表示を切り替えさせる。
【００１７】
また、複合機１００は、ジョブの実行に用いられ、省電力モードでは、電力供給が停止される機能ユニット１０を含む。機能ユニット１０は、ジョブの実行時に動作して選ばれたジョブを完了させるユニットである。実施形態の複合機１００は、読取ユニット４（原稿搬送部４ａ、画像読取部４ｂ）、印刷ユニット５、ファクシミリ送信ユニット７ｓのような複数種のユニットを機能ユニット１０として含む。
【００１８】
読取ユニット４は、原稿搬送部４ａと画像読取部４ｂを含む。原稿搬送部４ａは、読み取り位置にセットされた原稿を搬送する。画像読取部４ｂは、原稿搬送部４ａにより搬送される原稿や載置読取用コンタクトガラス（不図示）にセットされた原稿を読み取り、画像データを生成する。主制御部１は、スキャン、印刷、送信のようなジョブのとき、原稿搬送部４ａと画像読取部４ｂの動作を制御する。
【００１９】
印刷ユニット５（給紙部５ａ、搬送部５ｂ、画像形成部５ｃ、定着部５ｄ）は、トナーを用いて画像データに基づき用紙に印刷を行う。印刷を伴うジョブのとき、給紙部５ａは用紙を１枚ずつ搬送部５ｂに送り込む。搬送部５ｂは、給紙部５ａから供給された用紙を搬送する。画像形成部５ｃは、画像データに基づきトナー像を形成し、搬送される用紙に転写する。定着部５ｄは、用紙に転写されたトナー像を定着させる。トナー定着後の用紙は、機外に排出される。
【００２０】
また、複合機１００は、データ通信部６を含む。データ通信部６は、各種コネクタ、ソケット、通信用チップを備える。データ通信部６は、ネットワークやケーブルを介し、ＰＣやサーバーのようなコンピューター２００と通信可能に接続される。データ通信部６はコンピューター２００と画像データのやり取りを行える。主制御部１は、データ通信部６が受信したデータに基づき印刷ユニット５に印刷を行わせる（プリントジョブ）。
【００２１】
また、複合機１００は、ファクシミリ通信部７を含む。ファクシミリ通信部７は、ファクシミリデータの送信に関するファクシミリ送信ユニット７ｓと、ファクシミリデータの受信に関するファクシミリ受信ユニット７ｒを含む。ファクシミリ通信部７は、ネットワークや公衆回線やケーブルを介してファクシミリ装置３００と通信可能に接続される。ファクシミリ通信部７は、ファクシミリ装置３００に向けて電子メールや画像データを送信できる（ファクシミリ送信機能）。また、ファクシミリ通信部７は、ファクシミリ装置３００からのファクシミリデータを受信できる（ファクシミリ受信機能）。
【００２２】
（操作パネル３での機能選択）
次に、図２を用いて、実施形態に係る操作パネル３の一例を説明する。
【００２３】
実施形態に係る複合機１００は、コピー機能、スキャン機能、ファクシミリ送信機能、ボックス機能のような複数の機能を有する。コピー機能は、読取ユニット４で原稿を読み取って得られた画像データに基づき、印刷ユニット５に原稿の複写印刷を行わせる機能である。スキャン機能は、読取ユニット４での原稿を読み取りに基づく画像データをデータ通信部６から送信する機能である。ファクシミリ送信機能は、読取ユニット４での原稿を読み取りに基づく画像データをファクシミリ通信部７（ファクシミリ送信ユニット７ｓ）から相手方のファクシミリ装置３００に向けて送信する機能である。ボックス機能は、読取ユニット４での原稿を読み取りに基づく画像データを記憶部２に不揮発的に記憶させる機能である。また、ボックス機能を用いることにより、記憶部２に不揮発的に記憶させた画像データを再利用（印刷や送信）することができる。
【００２４】
実行するジョブの種類（用いる機能）を選ぶため、機能キー３０が複数設けられる。実施形態に係る操作パネル３には、機能キー３０（ハードキー）として、スキャンキー３ａ、コピーキー３ｂ、ファクシミリ送信キー３ｃ、ボックスキー３ｄが設けられる。なお、更に多くの機能キー３０を設けてもよい。主制御部１は、機能ユニット１０（読取ユニット４、印刷ユニット５、ファクシミリ送信ユニット７ｓ）のうち、機能キー３０で選ばれたジョブの実行に必要な機能ユニット１０を動作させる。
【００２５】
（複合機１００の各部への電力供給）
次に図３を用いて、複合機１００の各部への電力供給を説明する。図３は、実施形態に係る複合機１００での電力供給系統を説明するための図である。
【００２６】
実施形態に係る複合機１００には、電源装置１１が設けられる。電源装置１１には、コンセント、電源コードを介して、商用電源（不図示）が接続される。電源装置１１には、整流、平滑を行って商用電源から直流電圧を生成する１次電源部１１ａが設けられる。１次電源部１１ａは、トランスを含むスイッチング電源のような電力変換回路である。１次電源部１１ａが生成した電圧は、複合機１００内に設けられる用紙搬送用のローラーや、画像形成部５ｃ、定着部５ｄの各種回転体を回転させるモーターに供給される。また、電源装置１１には、１次電源部１１ａが生成した電圧を降圧し、複合機１００内に設けられた回路、素子を駆動させるための電圧を複数種類生成する２次電源部１１ｂが設けられる。２次電源部１１ｂは、ＤＣＤＣコンバーターやレギュレーターである。
【００２７】
主制御部１、記憶部２、読取ユニット４、操作パネル３、印刷ユニット５、データ通信部６、ファクシミリ通信部７、復帰制御部９（詳細は後述）のような複合機１００に含まれる各部分、各機能ユニット１０に１次電源部１１ａや２次電源部１１ｂが生成した電圧が入力される。このように、電源装置１１は、それぞれの機能ユニット１０への電力供給を行う。電源装置１１は、複合機１００の各部、各機能ユニット１０に複数種の電圧を供給するが、図３では便宜上、電源装置１１から各部分、各機能ユニット１０への電力供給ラインを黒矢印１本で図示している。
【００２８】
主制御部１、記憶部２、操作パネル３、復帰制御部９のような基板、回路へ電力供給系統や、読取ユニット４、印刷ユニット５、ファクシミリ送信ユニット７ｓのような機能ユニット１０への電力系統の途中に電力供給とその停止（ＯＮ／ＯＦＦ）を行うためのスイッチ８１が設けられる。省電力モードになったとき、これらのスイッチ８１をＯＦＦすることで、省電力モードで電力供給を停止すると予め定められた部分（供給停止部分）への電力供給を停止することができる。
【００２９】
供給停止部分は、主制御部１、記憶部２、読取ユニット４、操作パネル３、印刷ユニット５、ファクシミリ送信ユニット７ｓ、復帰制御部９とすることができる。このように、供給停止部分には、機能ユニット１０が含まれる。
【００３０】
なお、供給停止部分のうち、主制御部１や記憶部２には、省電力モードでも完全に電力供給を停止しない場合がある（一部を動作させる場合がある）。このように省電力モードでも電力供給を停止しない部分に対しては、全てのスイッチ８１をＯＦＦしても、別に設けられた電力供給線によって、電力供給が続けられる。そして、複合機１００には、省電力制御部８が設けられる。省電力制御部８は、これらのスイッチ８１のＯＮ／ＯＦＦを行う。
【００３１】
なお、省電力モードでもコンピューター２００からの画像データや印刷に関する設定データを含む印刷用データを受信できるようにするため、データ通信部６への電力供給ラインにはスイッチ８１が設けられない。また、省電力モードでも外部のファクシミリ装置３００からのデータを受信できるように、ファクシミリ受信ユニット７ｒへの電力供給ラインにはスイッチ８１が設けられない。言い換えると、データ通信部６とファクシミリ受信ユニット７ｒには、省電力モードでも電力供給が続けられる。
【００３２】
（待機モードから省電力モードへの移行）
次に、図４、図５を用いて待機モードから省電力モードへの移行を説明する。図４は、実施形態に係る複合機１００での省電力モードへの移行条件が満たされたか否かの判定を説明するための図である。図５は、実施形態に係る複合機１００での待機モードから省電力モードへの移行の流れの一例を示すフローチャートである。
【００３３】
複合機１００の電源スイッチ（不図示）によって主電源が入れられると、複合機１００は待機モードで起動する。主電源投入直後で、まだ省電力モードになっていないときの待機モードは、省電力制御部８が全てのスイッチ８１をＯＮ状態として、電源装置１１が複合機１００の全ての部分に電力供給を行う。主電源投入に基づく待機モードでは、省電力モードで電力供給を停止すると予め定められた部分（供給停止部分）の全てに電力供給が行われる。待機モードでジョブが実行されると、ジョブ実行モードとなる。ジョブが完了すると、待機モードに戻る。
【００３４】
省電力モードが解除されたときも待機モードとなる。機能ユニット１０のうち、一部には電力供給が再開されない状態で、省電力モードの解除が行われ、待機モードに復帰する場合がある。
【００３５】
待機モードで予め定められた移行条件が満たされたとき、主制御部１は、省電力制御部８に省電力モード移行指示を与え、複合機１００を省電力モードとさせる。本実施形態の複合機１００では、主制御部１が、移行条件が満たされたか否かを判定する（省電力制御部８が判定してもよい）。どのような条件を移行条件とするかは、適宜定めることができる。本実施形態の複合機１００では、操作パネル３の節電キー３５が操作されたとき、主制御部１は、移行条件が満たされたと判定する。
【００３６】
また、主制御部１は、待機モードの開始から、又は、複合機１００に対する操作や入力の最後の時点から、複合機１００に対する操作や入力がないまま予め定められた移行時間が経過したとき、移行条件が満たされたと判断する。移行時間は、デフォルト値が予め定められ、操作パネル３で変更することができる。
【００３７】
複合機１００に対する操作や入力を検知する入力検知部として、データ通信部６、スタートキー３３やテンキー３４のようなハードキー、タッチパネル部３２、挿脱検知センサーＳ１、カバー開閉検知センサーＳ２、原稿セット検知センサーＳ３、開閉検知センサーＳ４が設けられる。更に多くの入力検知部を設けるようにしてもよい。なお、挿脱検知センサーＳ１は、印刷ユニット５の給紙部５ａ（給紙カセット）の着脱を検知するためのセンサーである。カバー開閉検知センサーＳ２は、印刷ユニット５の点検のために設けられたカバーの開閉を検知するためのセンサーである。原稿セット検知センサーＳ３は、読取ユニット４の原稿搬送部４ａへの原稿セットを検知するためのセンサーである。開閉検知センサーＳ４は、読取ユニット４の原稿搬送部４ａの開閉（上げ下げ）を検知するためのセンサーである。
【００３８】
主制御部１は、データ通信部６、ファクシミリ通信部７、操作パネル３からの通知、挿脱検知センサーＳ１の出力、カバー開閉検知センサーＳ２の出力、原稿セット検知センサーＳ３の出力、開閉検知センサーＳ４の出力に基づき、複合機１００への操作又は入力があったことを認識する。
【００３９】
具体的に、待機モードから省電力モードへの移行の流れを図５のフローチャートを用いて説明する。図５のスタートは、複合機１００の主電源投入や省電力モードから復帰した時点である。
【００４０】
主制御部１は、移行条件が満たされか否かの確認を続ける（ステップ♯１１、ステップ♯１１のＮｏ→ステップ♯１１）。移行条件が満たされたとき（ステップ♯１１のＹｅｓ）、主制御部１は、機能ユニット１０を含む供給停止部分への電力供給を省電力制御部８に停止させる（ステップ♯１２→エンド）。これにより、複合機１００は、省電力モードに移行する。
【００４１】
（機能キー３０の操作による省電力モードの解除）
次に、図６、図７に基づき、実施形態に係る複合機１００での省電力モードの解除（待機モードへの復帰）を説明する。図６は、実施形態に係る機能キー３０の操作による省電力モードの解除に関する部分の一例を示す図である。図７は、実施形態に係る機能キー３０の操作による省電力モードの解除の流れの一例を示すフローチャートである。
【００４２】
操作パネル３には、実行するジョブの種類を選ぶための機能キー３０（スキャンキー３ａ、コピーキー３ｂ、ファクシミリ送信キー３ｃ、ボックスキー３ｄ）が設けられる。そして、省電力モード中に何れかの機能キー３０に対し、予め定められた操作（復帰指定操作）をすることにより、各機能ユニット１０のうち、復帰指定操作で操作された機能キー３０に対応するジョブの実行に必要な機能ユニット１０にのみ電力供給を再開して省電力モードを解除することができる。これにより、実行しようとするジョブに不要な機能ユニット１０への電力供給を停止したままで待機モードに復帰することができる。
【００４３】
「復帰指定操作」は、予め定められた規定時間内に、予め定められた規定回数、同じ機能キー３０を押す操作である。「規定時間」は、適宜定めることができ、２〜３秒とすることができる。なお、２〜３秒よりも少なくてもよいし、多くてもよい。また、「規定回数」も適宜定めることができるが、２〜３回とすることができる。なお、「規定回数」は、２〜３回よりも少なくてもよいし多くてもよい。
【００４４】
復帰指定操作がなされたか否かを検知するため、復帰制御部９（復帰指定操作がなされたことを検知するための基板）が設けられる。復帰制御部９は、時間を測る計時部９１と、同じ機能キー３０が操作された回数を数えるカウント部９２と、計時部９１が測る時間とカウント部９２のカウント値に基づき、復帰指定操作がなされたか否かを認識する判定部９３を含む。計時部９１は、タイマーである。カウント部９２は、カウンターである。
【００４５】
復帰制御部９が復帰指定操作を確認（判定、認識）したとき、復帰制御部９は、復帰指定操作がなされた機能キー３０に対応するジョブの種類を示す信号Ｓ１を省電力制御部８に入力（通知）する。この信号Ｓ１に基づき、省電力制御部８は、復帰指定操作で操作された機能キー３０に対応するジョブを実行するのに必要な機能ユニット１０のみへの電力供給を再開する。
【００４６】
複合機１００は、省電力モードで電力供給を停止させると予め定められた機能ユニット１０として、原稿を読み取って画像データを生成するための読取ユニット４と、画像データに基づき印刷を行う印刷ユニット５と、ファクシミリ送信ユニット７ｓを少なくとも含む。そして、操作パネル３は、機能キー３０として、スキャンキー３ａと、コピーキー３ｂと、ファクシミリ送信キー３ｃ、ボックスキー３ｄを含む。
【００４７】
（１）スキャンキー３ａに対して復帰指定操作が行われたとき
省電力制御部８は、読取ユニット４への電力供給を再開するとともに、スキャンジョブに不要な印刷ユニット５、ファクシミリ送信ユニット７ｓへの電力供給を再開しない。
（２）コピーキー３ｂに対して復帰指定操作が行われたとき
省電力制御部８は、読取ユニット４、印刷ユニット５への電力供給を再開するともに、コピージョブに不要なファクシミリ送信ユニット７ｓへの電力供給を再開しない。
（３）ファクシミリ送信キー３ｃに対して復帰指定操作が行われたとき
省電力制御部８は、読取ユニット４とファクシミリ送信ユニット７ｓへの電力供給を再開するともに、ファクシミリ送信ジョブに不要な印刷ユニット５への電力供給を再開しない。
（４）ボックスキー３ｄに対して復帰指定操作が行われたとき
ボックス機能では、画像読取部４ｂで読み取った原稿の画像データの記憶部２への記憶や、記憶部２に記憶されたデータの再利用（印刷や送信）を行うことができる。そこで、省電力制御部８は、読取ユニット４、印刷ユニット５、ファクシミリ送信ユニット７ｓへの電力供給を再開する。
【００４８】
次に、図７を用いて、機能キー３０に対する復帰指定操作に基づく省電力モードの解除の流れを説明する。図７のスタートは、省電力モードに移行した時点である。
【００４９】
まず、省電力制御部８は、何れかの機能キー３０が押されたか否かの確認を続ける（ステップ♯２１、ステップ♯２１のＮｏ→ステップ♯２１）。なお、操作パネル３からの信号は省電力制御部８にも入力される（図６参照）。そして、省電力制御部８は、操作パネル３からの信号に基づき、何れかの機能キー３０が操作されたことを認識する。従って、省電力モードでも、操作パネル３のうち、各機能キー３０への操作を検知し、信号を省電力制御部８に送る回路には電力供給が行われる。
【００５０】
何れかの機能キー３０が押されたとき（ステップ♯２１のＹｅｓ）、省電力制御部８は復帰制御部９への電力供給を一時的に再開する（ステップ♯２２）。省電力制御部８は、省電力モードに移行開始時点では、復帰制御部９への電力供給を行わない。そして、省電力モード中に何れかの機能キー３０が操作されたとき、省電力制御部８は、復帰制御部９への電力供給を一時的に再開する（復帰制御部９を一時復帰させる）。これにより、復帰制御部９が起動する（ステップ♯２３）。
【００５１】
復帰制御部９は、復帰指定操作がなされたか否かを確認する（ステップ♯２４）。復帰制御部９の起動後、計時部９１は、機能キー３０が最初に操作された時点から規定時間の計時や操作回数のカウントを開始する。
【００５２】
復帰指定操作がなされたとき（ステップ♯２４のＹｅｓ）、復帰制御部９は、復帰指定操作がなされた機能キー３０に対応するジョブを省電力制御部８に通知する（ステップ♯２５）。この復帰制御部９からの通知（信号）に基づき、省電力制御部８は、何れのジョブでも用いられる主制御部１、記憶部２、操作パネル３への電力供給を再開する（ステップ♯２６）。これにより、主制御部１、記憶部２、操作パネル３が起動する。
【００５３】
続いて、省電力制御部８は、読取ユニット４、印刷ユニット５、ファクシミリ送信ユニット７ｓのような機能ユニット１０のうち、復帰指定操作で操作された機能キー３０に対応するジョブを実行するのに必要な機能ユニット１０への電力供給を再開する（ステップ♯２７）。これにより、電力供給が再開された機能ユニット１０が起動する。この結果、省電力モードが解除され、複合機１００は待機モードに復帰し、本フローは終了する（エンド）。
【００５４】
なお、省電力モードが解除されても電力供給が再開されない機能ユニット１０もある。待機モード中、電力供給が再開されない機能ユニット１０を用いるジョブに対応する機能キー３０が操作されたとき、省電力制御部８は、待機モードで停止状態の機能ユニット１０への電力供給を再開する。例えば、スキャンキー３ａに対し復帰指定操作を行うと、待機モードに復帰しても印刷ユニット５への電力供給は再開されない。待機モードで印刷ユニット５への電力供給が停止されたままの状態でコピーキー３ｂやボックスキー３ｄが操作されたとき、省電力制御部８は、印刷ユニット５への電力供給を再開する。
【００５５】
一方、復帰指定操作がなされていないとき（ステップ♯２４のＮｏ）、復帰制御部９は、押す機能キー３０の変更があったか否かを確認する（ステップ♯２８）。変更があったとき（ステップ♯２７のＹｅｓ）、復帰制御部９は、カウント部９２の保持するカウント値をリセットする（「１」に戻す。ステップ♯２９）。
【００５６】
変更がないとき（ステップ♯２８のＮｏ）及びステップ♯２９の後、復帰制御部９は、復帰制御部９の復帰から復帰指定操作が行われることなく予め定められた有効時間が経過したか否かを確認する（ステップ♯２１０）。計時部９１は、有効時間が経過したか否かを測る。なお、有効時間は、規定時間よりも長い時間である。
【００５７】
有効時間が経過していないとき（ステップ♯２１０のＮｏ）、フローはステップ♯２４に戻る。一方、有効時間が経過したとき、復帰制御部９は復帰指定操作が行われることなく有効時間が経過した旨を省電力制御部８に通知し、この通知を受けた省電力制御部８は、復帰制御部９への電力供給を停止する（ステップ♯２１１）。そして、フローは、ステップ♯２１に戻る。
【００５８】
（機能キー３０以外の複合機１００への入力に基づく省電力モードの解除）
次に、図８に基づき、機能キー３０以外の複合機１００への入力に基づく省電力モードの解除を説明する。図８は、実施形態に係る複合機１００での待機モードへの復帰を説明するための図である。
【００５９】
省電力モードでも、操作パネル３のスキャンキー３ａ、コピーキー３ｂ、ファクシミリ送信キー３ｃ、ボックスキー３ｄ以外の入力検知部にも、電力供給が続けられてもよい。
【００６０】
図８に示す各入力検知部のうち、データ通信部６が印刷用データを受信したとき、省電力制御部８は、供給停止部分のうち、主制御部１、記憶部２への電力供給を再開する。また、省電力制御部８は、機能ユニット１０のうち、印刷ユニット５のみに対して電力供給を再開し、省電力モードを解除する。そして、主制御部１は、印刷ユニット５に印刷用データに基づく印刷を行わせる。
【００６１】
図８に示す各入力検知部のうち、ファクシミリ通信部７（ファクシミリ受信ユニット７ｒ）が着呼したとき、省電力制御部８は、供給停止部分のうち、主制御部１、記憶部２への電力供給を再開する。また、省電力制御部８は、機能ユニット１０のうち、ファクシミリ送信ユニット７ｓと印刷ユニット５に対する電力供給を再開する（読取ユニット４への電力供給は再開しない）。主制御部１は、ファクシミリ送信ユニット７ｓとファクシミリ受信ユニット７ｒに、相手方のファクシミリ装置３００との通信（信号のやりとり）を行わせる。また、主制御部１は、印刷ユニット５に受信したファクシミリデータに基づく印刷を行わせる。
【００６２】
図８に示す各入力検知部のうち、タッチパネル部３２、挿脱検知センサーＳ１、カバー開閉検知センサーＳ２、原稿セット検知センサーＳ３、開閉検知センサーＳ４により、操作パネル３や複合機１００のカバーや原稿搬送部４ａへの操作が検知されたとき、どのジョブを実行するか判断できないので、省電力制御部８は、主制御部１、記憶部２、操作パネル３への電力供給を再開する。また、省電力制御部８は、機能ユニット１０（読取ユニット４、印刷ユニット５、ファクシミリ送信ユニット７ｓ）の全てに対する電力供給を再開する。
【００６３】
このようにして、実施形態に画像形成装置（複合機１００）は、実行するジョブの種類を選ぶための機能キー３０（スキャンキー３ａ、コピーキー３ｂ、ファクシミリ送信キー３ｃ、ボックスキー３ｄ）を複数の含む操作パネル３と、ジョブの実行時に動作して選ばれたジョブを完了させるユニットであって、省電力モードでは電力供給が停止され、複数種、画像形成装置内に設けられる機能ユニット１０（読取ユニット４、印刷ユニット５、ファクシミリ送信ユニット７ｓ）と、機能ユニット１０のうち、機能キー３０で選ばれたジョブの実行に必要な機能ユニット１０を動作させる主制御部１と、それぞれの機能ユニット１０への電力供給を行う電源装置１１と、機能ユニット１０への電力供給が行われている状態で予め定められた省電力モードへの移行条件が満たされたとき、電源装置１１から機能ユニット１０への電力供給を停止する省電力制御部８と、操作パネル３の出力に基づき、省電力モード中、予め定められた規定時間内に、予め定められた規定回数、同じ機能キー３０を操作する復帰指定操作が行われたか否かを確認し、復帰指定操作が行われたとき、復帰指定操作で操作された機能キー３０に対応するジョブを実行するのに必要な機能ユニット１０への電力供給を省電力制御部８に再開させる復帰制御部９と、を含む。
【００６４】
これにより、使用者が実行したいジョブの種類（機能）に対応する機能キー３０（スキャンキー３ａ、コピーキー３ｂ、ファクシミリ送信キー３ｃ、ボックスキー３ｄ）を複数回押す（操作する）だけで、これから実行しようとするジョブに不要な機能ユニット１０への電力供給ほ再開しないようにしつつ、これから実行しようとするジョブに必要な機能ユニット１０（読取ユニット４、印刷ユニット５、ファクシミリ送信ユニット７ｓ）のみに電力供給を再開することができる。電力供給が再開された機能ユニット１０では起動処理がなされ、使用者の所望するジョブを実行できる状態に画像形成装置（複合機１００）を戻すことができる。従って、直感的でわかりやすい操作で節電しつつ、省電力モードを解除することができる。また、従来、機能キー３０を１回操作すれば省電力モードが解除される場合があったが、本画像形成装置（複合機１００）では、同じ機能キー３０を複数回操作しなければ、機能ユニット１０への電力供給が再開されない。そのため、機能キー３０を誤って１回押しても、省電力モードは解除されない。従って、機能キー３０の誤操作に起因した不要な省電力モードの解除（機能ユニット１０への電力供給再開）はなされず、無駄な電力の消費を無くすことができる。
【００６５】
また、復帰制御部９は、規定時間内に、規定回数連続して、同じ機能キー３０（スキャンキー３ａ、コピーキー３ｂ、ファクシミリ送信キー３ｃ、ボックスキー３ｄのいずれか）に対する操作が行われたとき、復帰指定操作が行われたと認識し、規定時間内での同じ機能キー３０に対する操作回数が規定回数未満であるとき、及び、規定時間内に同じ機能キー３０に対する操作が規定回数行われたが連続していないとき、復帰指定操作が行われたとは認識しない。
【００６６】
これにより、省電力モードを解除するとき、同じ機能キー３０（スキャンキー３ａ、コピーキー３ｂ、ファクシミリ送信キー３ｃ、ボックスキー３ｄのいずれか）を規定回数連続して操作することが必要となる。そのため、最初、操作する機能キー３０を間違えても、以後、実行したいジョブの種類に対応する機能キー３０を連続して操作することにより、所望のジョブの実行に必要な機能ユニット１０にのみ電力供給を再開することができる。一方、機能キー３０を操作したものの、省電力モードを解除したくない場合には、操作を止めるか、別の機能キー３０を操作すればすむ。
【００６７】
また、省電力制御部８は、省電力モードに移行にあわせて復帰制御部９への電力供給を停止し、復帰制御部９への電力供給が停止されている状態で何れかの機能キー３０（スキャンキー３ａ、コピーキー３ｂ、ファクシミリ送信キー３ｃ、ボックスキー３ｄのいずれか）が操作されたとき、復帰制御部９への電力供給を再開して復帰制御部９を復帰させる。復帰制御部９は、電力供給再開により起動してから規定時間内に、規定回数連続して同じ機能キー３０に対する操作が行われたか否かを確認する。省電力制御部８は、復帰制御部９の復帰から復帰指定操作が行われることなく予め定められた有効時間が経過したとき復帰制御部９への電力供給を停止する。
【００６８】
これにより、省電力モードへの移行当初から何れかの機能キー３０（スキャンキー３ａ、コピーキー３ｂ、ファクシミリ送信キー３ｃ、ボックスキー３ｄの何れか）が操作されるまで、復帰制御部９で電力が消費されないようにすることができる。また、機能キー３０の操作に応じて一時的に復帰制御部９の省電力モードを解除したものの、復帰指定操作が行われず複合機１００全体としては省電力モードが維持されているとき、一時的に電力供給を再開した復帰制御部９への電力供給を再び停止させることができる。これにより、省電力モード中の消費電力をできるだけ小さくすることができる。
【００６９】
また、複合機１００は、電力供給を停止させると予め定められた機能ユニット１０として、原稿を読み取って画像データを生成するための読取ユニット４と、画像データに基づき印刷を行う印刷ユニット５と、ファクシミリ送信ユニット７ｓを少なくとも含む。また、複合機１００は、機能キー３０として、スキャンキー３ａと、コピーキー３ｂと、ファクシミリ送信キー３ｃを少なくとも含む。省電力制御部８は、省電力モードでは、読取ユニット４、印刷ユニット５、ファクシミリ送信ユニット７ｓへの電力供給を停止する。スキャンキー３ａに対して復帰指定操作が行われたとき、省電力制御部８は読取ユニット４への電力供給を再開するともに印刷ユニット５、ファクシミリ送信ユニット７ｓへの電力供給を再開しない。コピーキー３ｂに対して復帰指定操作が行われたとき、省電力制御部８は、読取ユニット４、印刷ユニット５への電力供給を再開するともにファクシミリ送信ユニット７ｓへの電力供給を再開しない。ファクシミリ送信キー３ｃに対して復帰指定操作が行われたとき、省電力制御部８は、読取ユニット４とファクシミリ送信ユニット７ｓへの電力供給を再開するともに印刷ユニット５への電力供給を再開しない。
【００７０】
これにより、省電力モードを解除し実行しようとするジョブに必要な機能ユニット１０に対してだけ電力供給を再開し、再起動させることができる。これにより、全ての機能ユニット１０（読取ユニット４、印刷ユニット５、ファクシミリ送信ユニット７ｓ）への電力供給を再開して省電力モードを解除する場合に比べ、画像形成装置（複合機１００）で消費される電力を抑えることができる。
【００７１】
以上、本発明の実施形態について説明したが、本発明の範囲はこれに限定されるものではなく、発明の主旨を逸脱しない範囲で種々の変更を加えて実施することができる。
【００７２】
印刷に関し、複合機１００には、オプションユニットとして、増設用給紙カセットや後処理装置が取り付けられることがある。オプションユニットが取り付けられた場合、省電力制御部８は、省電力モードに移行したとき、オプションユニットへの電力供給を停止してもよい。そして、印刷ユニット５への電力供給再開と同じタイミングでオプションユニットへの電力供給を再開するようにしてもよい。
【産業上の利用可能性】
【００７３】
本発明は、用いるジョブの種類（機能）を選ぶためのキーと、複数の機能ユニット１０を含む画像形成装置に利用可能である。
【符号の説明】
【００７４】
１００  複合機（画像形成装置）          １０    機能ユニット
１１    電源装置                        １      主制御部
３      操作パネル                      ３０    機能キー
３ａ    スキャンキー（機能キー）        ３ｂ    コピーキー（機能キー）
３ｃ    ファクシミリ送信キー（機能キー）
３ｄ    ボックスキー（機能キー）        ４      読取ユニット（機能ユニット）
５      印刷ユニット（機能ユニット）
７ｓ    ファクシミリ送信ユニット（機能ユニット）
８      省電力制御部                    ９      復帰制御部
【図１】
2016221708.tif 000003
【図２】
2016221708.tif 000004
【図３】
2016221708.tif 000005
【図４】
2016221708.tif 000006
【図５】
2016221708.tif 000007
【図６】
2016221708.tif 000008
【図７】
2016221708.tif 000009
【図８】
2016221708.tif 000010